(57)【要約】【課題】  １台の扇風機で、前後の両方向に同時に風を送る扇風機を提供する。【解決手段】  モーターの前後にファンを設け、ファンの間の中間に遮蔽板を装着することを特徴とする両面扇風機。【選択図】  図１
2005113895.tif 000002
【特許請求の範囲】
【請求項１】
ベース部と、ベース部に立設されたスタンド部と、スタンド上部に首振り制御されるように設けられたモーター収納部と、モーター収納部に水平方向の反する方向に軸が位置するように設けられたモーター機構部と、前記各軸に設けられたファンと、前記モーター収納部に設けられ前記対向するファン間の対流を整えるように設けられた遮蔽板と、操作部と、操作部の操作に応じて首振りやモーター回転制御をおこなう制御機構と、電源供給手段とよりなり、前記対向するファンは逆のねじれを有するものであることを特徴とする両面扇風機。
【請求項２】
ベース部と、ベース部に立設されたスタンド部と、スタンド上部に首振り制御されるように設けられたモーター収納部と、モーター収納部に２台のモーターをそれぞれ水平方向の反する方向に軸が位置するように設けられたモーター機構部と、前記各軸に設けられたファンと、前記モーター収納部に設けられ前記対向するファン間の対流を整えるように設けられた遮蔽板と、操作部と、操作部の操作に応じて首振りやモーター回転制御をおこなう制御機構と、電源供給手段とよりなり、前記対向するファンは同一方向のねじれを有するものであることを特徴とする両面扇風機。
【発明の詳細な説明】
【技術分野】
【０００１】  本発明は、１台の扇風機で、３６０度の方向に風を送る両面扇風機に関するものである。
【背景技術】
【０００２】  従来、反対方向にファンが設けられたツイン扇風機があった。
それは、同方向に回転する共通の回転軸に、所定間隔を隔てて、互いにねじれ方向が逆な一対のファンを取り付け、ｌ台で互いに逆方向に風を送ることのできる扇風機である。
【特許文献１】特開２００１−５０１９１号
【発明の開示】
【発明が解決しようとする課題】
【０００３】  それは、次のような問題点があった。
（イ）  それぞれのファンの間に遮蔽板がないため、吸い込まれる空気は互いに引っぱられ、乱流し、雑音を発生し、モーターに負荷がかかっていた。
（ロ）  モーターはｌ台のため、ファンをそれぞれ別々に制御することはできなかった。
本発明は、これらの問題点を解決するためになされたものである。
【課題を解決するための手段】
【０００４】  ベース部と、ベース部に立設されたスタンド部と、スタンド上部に首振り制御されるように設けられたモーター収納部と、モーター収納部に水平方向の反する方向に軸が位置するように設けられたモーター機構部と、前記各軸に設けられたファンと、前記モーター収納部に設けられ前記対向するファン間の対流を整えるように設けられた遮蔽板と、操作部と、操作部の操作に応じて首振りやモーター回転制御をおこなう制御機構と、電源供給手段とよりなり、前記対向するファンは逆のねじれを有するように構成する。
【発明の効果】
【０００５】  １台の扇風機の２枚のファンで、効率的に３６０度の方向に風を送ることができる。この際遮蔽板により風の対流は整えられ、雑音も発生せず、モーターの負荷が減少することにより電力がかからず、スムーズに風が送られる。
モーター２台の場合はそれぞれのファンを同時に回したり、片方のファンを止めたりすることができ、きわめて便利である。
【発明を実施するための最良の形態】
【０００６】  以下、本発明の実施の形態について図１から図４及び図６、図８を利用して説明する。
（イ）  ベース部（１）にスタンド部（２）を立設させ、スタンド部（２）の上部に首振り機構部（１０）を設ける。
（ロ）  首振り機構部（１０）の上部にモーター収納部（３）を設け、モーター収納部（３）の内部に図６に示すようにモーター（４）を設ける。
（ハ）  モーター（４）は軸（５）がそれぞれ反対方向に水平方向になるものとし、それぞれの軸（５）に互いに逆のねじれのファン（７）を設ける。
（ニ）  それぞれのファン（７）の中間にモーター収納部（３）にビス止めされ、モーター収納部（３）と首振り機構部（１０）とスタンド部（２）を避けるように切り欠いた、外径がファン（７）の大きさの円板である遮蔽板（６）を設ける。
（ホ）  ファン（７）をカバーするように、カバー（８）をカセット式にモーター収納部（３）に取り忖ける。
本発明は、以上のような構成で、これを使用するときは、操作部のＯＮ、ＯＦＦスイッチにより制御部がファン（７）を回転させたり、止めたり、首振りさせたり、風の強、中、弱、リズム風、おやすみ風、タイマー制御等の制御をおこなう。風は遮蔽板（６）により図４のように整えられ、乱流することなく、スムーズに流れ、雑音は発生せず、電力はかからない。【０００７】以下、他の実施の形態について図２から図５及び図７、図９を利用して説明する。
本事例においては、モーターを２台使用したものである。
（イ）  ベース部（１）にスタンド部（２）を立設させ、スタンド部（２）の上部に首振り機構部（１０）を設ける。
（ロ）  首振り機構部（１０）の上部にモーター収納部（３）を設け、モーター収納部（３）の内部に図７に示すように２台のモーター（４）を設ける。
（ハ）  ２台のモーター（４）は軸（５）がそれぞれ反対方向で水平方向になるものとし、それぞれの軸（５）に同一方向のねじれのファン（７）を設ける。
（ニ）  それぞれのファン（７）の間の中間に、モーター収納部（３）にビス止めされ、モーター収納部（３）と首振り機構部（１０）とスタンド部（２）を避けるように切り欠いた、外径がファン（７）の大きさの円板である遮蔽板（６）を設ける。
（ホ）  ファン（７）をカバーするように、カバー（８）をカセット式にモーター収納部（３）に取り付ける。
これを使用するときは、操作部のＯＮ、ＯＦＦスイッチにより制御部がファン（７）をそれぞれ回転させたり、片方のファン（７）の回転を止めたり、首振りさせたり、風の強、中、弱、リズム風、おやすみ風、タイマー制御等の制御をおこなう。風は遮蔽板（６）により図４に示すように整えられ、乱流することなくスムーズに流れ、雑音は発生せず、電力はかからない。
【図面の簡単な説明】
【０００８】
【図１】  本発明のモーター１台の場合の側面図
【図２】  本発明のＡ−Ａ断面図
【図３】  本発明の正面図
【図４】  本発明の風の流れの状態図
【図５】  本発明のモーター２台の場合の側面図
【図６】  本発明のモーター１台の場合のモーター収納部
【図７】  本発明のモーター２台の場合のモーター収納部
【図８】  本発明のモーター１台の場合のブロック図
【図９】  本発明のモーター２台の場合のブロック図
【符号の説明】
【０００９】  １  ベース部
２  スタンド部
３  モーター収納部
４  モーター
５  軸
６  遮蔽板
７  ファン
８  カバー
９  操作部
１０  首振り機構部
１１  プラグ
【図１】
2005113895.tif 000003
【図２】
2005113895.tif 000004
【図３】
2005113895.tif 000005
【図４】
2005113895.tif 000006
【図５】
2005113895.tif 000007
【図６】
2005113895.tif 000008
【図７】
2005113895.tif 000009
【図８】
2005113895.tif 000010
【図９】
2005113895.tif 000011